【手続補正書】
【提出日】平成24年5月23日(2012.5.23)
【手続補正１】
【補正対象書類名】特許請求の範囲
【補正対象項目名】全文
【補正方法】変更
【補正の内容】
【特許請求の範囲】
【請求項１】
画像形成装置を含むシステムにおいて、当該画像形成装置を他の画像形成装置にリプレイスした際のシミュレーションを行う情報処理装置であって、
複数の画像形成装置ごとに製品仕様上のジョブの処理速度である仕様処理速度を記憶する記憶手段と、
前記システムに含まれる画像形成装置のジョブログを取得する取得手段と、
前記取得手段で取得したジョブログに基づき、前記システムに含まれる画像形成装置のジョブの実処理速度を算出する算出手段と、
前記システムに含まれる画像形成装置における、前記記憶手段に記憶された仕様処理速度と前記算出手段により算出された実処理速度との比率を算出する比率算出手段と、
シミュレーションにおいてリプレイスする前記他の画像形成装置の仕様処理速度を前記記憶手段より取得し、当該仕様処理速度を前記比率算出手段により算出された比率により補正する補正手段と、
前記取得手段により取得したジョブログに基づくジョブを、前記補正手段により補正された前記他の画像形成装置の仕様処理速度で処理するシミュレーションを行う処理手段と、
前記処理手段による処理結果をジョブログとして記憶するログ記憶手段と、
を備えることを特徴とする情報処理装置。
【請求項２】
前記取得手段により取得したジョブログを分析した分析結果と、前記ログ記憶手段により記憶されたジョブログを分析した分析結果とを出力する出力手段を備えることを特徴とする請求項１に記載の情報処理装置。
【請求項３】
前記出力手段により出力される分析結果には、ジョブの処理にかかった処理時間と他のジョブによりジョブが処理されずに待機していた待ち時間が含まれることを特徴とする請求項２に記載の情報処理装置。
【請求項４】
シミュレーションにおいてリプレイスする他の画像形成装置が複数である場合、前記取得手段により取得したジョブログに基づき、前記システムに含まれる画像形成装置を利用するユーザが処理速度の最も速い画像形成装置を選択してジョブを処理させる選択割合を算出する割合算出手段を備え、
前記処理手段は、前記割合算出手段で算出した選択割合に基づき前記複数の他の画像形成装置の何れかを選択し、前記取得手段により取得したジョブログに基づくジョブを、前記補正手段により補正された当該選択された他の画像形成装置の仕様処理速度で処理するシミュレーションを行うことを特徴とする請求項１乃至３の何れか１項に記載の情報処理装置。
【請求項５】
画像形成装置を含むシステムにおいて、当該画像形成装置を他の画像形成装置にリプレイスした際のシミュレーションを行う情報処理装置における情報処理方法であって、
複数の画像形成装置ごとに製品仕様上のジョブの処理速度である仕様処理速度を記憶する記憶ステップと、
前記システムに含まれる画像形成装置のジョブログを取得する取得ステップと、
前記取得ステップで取得したジョブログに基づき、前記システムに含まれる画像形成装置のジョブの実処理速度を算出する算出ステップと、
前記システムに含まれる画像形成装置における、前記記憶ステップで記憶された仕様処理速度と前記算出ステップにより算出された実処理速度との比率を算出する比率算出ステップと、
前記記憶ステップで記憶したシミュレーションにおいてリプレイスする前記他の画像形成装置の仕様処理速度を取得し、当該仕様処理速度を前記比率算出ステップにより算出された比率により補正する補正ステップと、
前記取得ステップにより取得したジョブログに基づくジョブを、前記補正ステップにより補正された前記他の画像形成装置の仕様処理速度で処理するシミュレーションを行う処理ステップと、
前記処理ステップによる処理結果をジョブログとして記憶するジョブログ記憶ステップと、
を備えることを特徴とする情報処理方法。
【請求項６】
前記取得ステップにより取得したジョブログを分析した分析結果と、前記ログ記憶ステップで記憶したジョブログを分析した分析結果とを出力する出力ステップを備えることを特徴とする請求項５に記載の情報処理方法。
【請求項７】
前記出力ステップにより出力される分析結果には、ジョブの処理にかかった処理時間と他のジョブによりジョブが処理されずに待機していた待ち時間が含まれることを特徴とする請求項６に記載の情報処理方法。
【請求項８】
シミュレーションにおいてリプレイスする他の画像形成装置が複数である場合、前記取得ステップにより取得したジョブログに基づき、前記システムに含まれる画像形成装置を利用するユーザが処理速度の最も速い画像形成装置を選択してジョブを処理させる選択割合を算出する割合算出ステップを備え、
前記処理ステップは、前記割合算出ステップで算出した選択割合に基づき前記複数の他の画像形成装置の何れかを選択し、前記取得ステップにより取得したジョブログに基づくジョブを、前記補正ステップにより補正された当該選択された他の画像形成装置の仕様処理速度で処理するシミュレーションを行うことを特徴とする請求項５乃至７の何れか１項に記載の情報処理方法。
【請求項９】
請求項１乃至４の何れか１項に記載の手段としてコンピュータを機能させることを特徴とするプログラム。
【請求項１０】
画像形成装置を含むシステムにおいて、当該画像形成装置を他の画像形成装置にリプレイスした際のシミュレーションを行う情報処理装置であって、
前記システムに含まれる画像形成装置のジョブログを取得する取得手段と、
前記取得手段で取得したジョブログに基づき、前記システムに含まれる画像形成装置のジョブの実処理速度を算出する算出手段と、
前記算出手段により算出された実処理速度を用いて、前記他の画像形成装置の仕様処理速度を補正する補正手段と、
前記取得手段により取得したジョブログに基づくジョブを、前記補正手段により補正された仕様処理速度で処理するシミュレーションを行う処理手段と、
前記処理手段によるシミュレーションの結果を表示するための制御を行う制御手段と、を備えることを特徴とする情報処理装置。
【請求項１１】
請求項１０に記載の手段としてコンピュータを機能させることを特徴とするプログラム。
【手続補正２】
【補正対象書類名】明細書
【補正対象項目名】００１４
【補正方法】変更
【補正の内容】
【００１４】
画像形成装置を含むシステムにおいて、当該画像形成装置を他の画像形成装置にリプレイスした際のシミュレーションを行う情報処理装置であって、複数の画像形成装置ごとに製品仕様上のジョブの処理速度である仕様処理速度を記憶する記憶手段と、前記システムに含まれる画像形成装置のジョブログを取得する取得手段と、前記取得手段で取得したジョブログに基づき、前記システムに含まれる画像形成装置のジョブの実処理速度を算出する算出手段と、前記システムに含まれる画像形成装置における、前記記憶手段に記憶された仕様処理速度と前記算出手段により算出された実処理速度との比率を算出する比率算出手段と、シミュレーションにおいてリプレイスする前記他の画像形成装置の仕様処理速度を前記記憶手段より取得し、当該仕様処理速度を前記比率算出手段により算出された比率により補正する補正手段と、前記取得手段により取得したジョブログに基づくジョブを、前記補正手段により補正された前記他の画像形成装置の仕様処理速度で処理するシミュレーションを行う処理手段と、前記処理手段による処理結果をジョブログとして記憶するログ記憶手段と、を備えることを特徴とする。